(57)【要約】【課題】  紐の挿脱が容易にできて、簡単且つ安価に作製できるようにする。【解決手段】  帯状の表生地１と、該表生地１の一側部から他側部に亘って重ね合わされると共に、その側縁部が表生地１に止着される、表生地１よりも幅小の合わせ生地２とを備え、合わせ生地２の長さ方向に沿って複数の挿通孔２ａを形成すると共に、合わせ生地２を縫うよう、一直線状に且つ等間隔に位置する偶数個の各挿通孔２ａに紐３を挿通し、紐３の両側部を、始端に位置する挿通孔２ａ及び終端に位置する挿通孔２ａから外部に導出し、導出された紐３の両側端部に梵天４を取り付ける。【選択図】  図１
0003126283.tif 000002
【実用新案登録請求の範囲】
【請求項１】
表生地（１）と、該表生地（１）に重ね合わされると共に、その側縁部が表生地（１）に止着される合わせ生地（２）とを備え、しかも、該合わせ生地（２）は、その長さ方向に沿って複数の挿通孔（２ａ）が形成されると共に、合わせ生地（２）を縫うよう、各挿通孔（２ａ）に紐（３）が挿通され、さらに、始端に位置する挿通孔（２ａ）及び終端に位置する挿通孔（２ａ）に挿通される紐（３）の両側部が外部に導出されてなることを特徴とする首巻き。
【請求項２】
上記表生地（１）は、帯状を呈しており、上記合わせ生地（２）は、該表生地（１）の一側部から他側部に亘って重ね合わせられる大きさを有してなることを特徴とする請求項１に記載の首巻き。
【請求項３】
上記合わせ生地（２）は、網状を呈しており、上記各挿通孔（２ａ）は、該合わせ生地（２）の網目からなることを特徴とする請求項１又は２に記載の首巻き。
【請求項４】
上記紐（３）は、一直線状に且つ等間隔に位置する偶数個の各挿通孔（２ａ）に、上から下に、下から上に、又は下から上に、上から下に繰り返し挿通されてなることを特徴とする請求項１乃至３のいずれか１項に記載の首巻き。
【請求項５】
上記紐（３）は、その両端部に梵天（４）が取り付けられてなることを特徴とする請求項１乃至４のいずれか１項に記載の首巻き。
【考案の詳細な説明】
【技術分野】
【０００１】
本考案は、寒さを防ぐためや装飾として用いられる、ショール、ストール、マフラー、スカーフ、ネッカチーフ、ボアなどの首巻きに関する。
【背景技術】
【０００２】
従来のこの種首巻きとしては、例えば長尺の毛皮帯部の長手方向に沿って、複数のテープ状片を等間隔に縫着すると共に、各テープ状片に紐を通し、さらに、各テープ状片及び各テープ状片に挿通された紐を覆うように裏地が縫着されたものが公知になっている（特許文献１）。
【０００３】
そして、例えば毛皮帯部を首に掛けて、一方の手で毛皮帯部に挿通された紐の両端部を把持しながら引っ張り、他方の手で毛皮帯部の両端部を首の方へ移動させて、毛皮帯部を縮んだ状態、即ちフリル状（略波形状）にし、この状態で紐を結び、首の周りを縮んだ状態の毛皮帯部で覆うようにしている。
【特許文献１】特許第３４９３１８６号公報
【考案の開示】
【考案が解決しようとする課題】
【０００４】
しかしながら、従来の上記首巻きは、毛皮帯部の裏面に複数のテープ状片を縫着した後、紐を各テープ状片に通して、その上に裏地を縫い合わせしているため、その分作業に手間が掛かり、煩雑でコスト高にもなる。しかも、毛皮帯部のみを使用したい場合、毛皮帯部から紐を引き抜くことになるが、引き抜いた紐を、毛皮帯部の各テープ状片に再度通すのは困難であるという問題がある。
【０００５】
そこで、本考案は上記問題点に鑑み、紐の挿脱が容易に行えて、簡単且つ安価に作製できる首巻きを提供することを目的とする。
【課題を解決するための手段】
【０００６】
上記課題を解決するために、本考案に係る首巻きは、表生地１と、該表生地１に重ね合わされると共に、その側縁部が表生地１に止着される合わせ生地２とを備え、しかも、該合わせ生地２は、その長さ方向に沿って複数の挿通孔２ａが形成されると共に、合わせ生地２を縫うよう、各挿通孔２ａに紐３が挿通され、さらに、始端に位置する挿通孔２ａ及び終端に位置する挿通孔２ａに挿通される紐３の両側部が外部に導出されてなることを特徴とする。
【０００７】
この場合、合わせ生地２の側縁部が表生地１に止着されることで、表生地１と合わせ生地２との間に紐３を遊挿できる空間が形成されるようになる。このため、合わせ生地２を縫うよう、各挿通孔２ａに紐３を容易に挿通できるようになる。そして、この空間と合わせ生地２各挿通孔２ａによって、紐３を各挿通孔２ａから引き抜いても簡単に挿通できるようになるので、作製が簡単になり、首巻きを紐なしの状態と紐付きの状態とに使い分けできる。なお、合わせ生地２の止着は、ボタン、ファスナ、面ファスナなどの留め具によるものであってもよく、縫着であってもよい。
【０００８】
さらに、紐３によって形成される合わせ生地２の縫い目は、例えば直線状、斜め、交差のいずれであってもよく、これによって、表生地１に模様が編み込まれたように見えるので、今までになかった外観を醸し出すことができる。また、表生地１を首や肩に引っ掛けたり、巻き掛けたりした場合、紐３は結んだ状態にしても、垂らした状態にしてもよい。また、合わせ生地２の縫い目が直線状になるよう、各挿通孔２ａに紐３が挿通されている場合は、従来と同様、表生地１及び合わせ生地２を波形状に縮ませて使用することもできる。
【０００９】
なお、表生地１の形状としては、環状、非円形（矩形、正方形、長楕円、三角形など）のいずれであってもよく、首や肩に巻いたり、引っ掛けたりできる大きさであればよい。また、合わせ生地２は、表生地１と略同一の大きさに形成したり、幅寸法のみを小さくしたり、長さ寸法のみを小さくしたりしてもよい。また、挿通孔２ａは、例えば一直線状、千鳥状、碁盤目状に形成されてもよく、挿通孔２ａの形状は、円形や非円形のいずれであってもよく、紐３が挿通しやすくて抜けにくい大きさのものが好ましい。加えて、紐３は、例えばナイロン製の比較的細めのもの、撚り合わせた比較的太めのものであってもよい。
【００１０】
また本考案の首巻きは、上記表生地１を帯状にし、上記合わせ生地２を、該表生地１の一側部から他側部に亘って重ね合わせられる大きさを有するような構成を採用することができる。
【００１１】
この場合、マフラーに適した構成を備えることができる。また、紐３は、表生地１の長さ方向に沿って縫い目が直線状になるよう各挿通孔２ａに挿通してもよく、縫い目が蛇行するよう各挿通孔２ａに挿通してもよい。なお、表生地１の一側部とは、表生地１の中心から一側端部に掛けての領域を含み、他側部とは、表生地１の中心から他側端部に掛けての領域を含むものとし、表生地１に対する合わせ生地２の幅寸法又は長さ寸法の少なくとも一方は、同一か小さいかのいずれかに設定されるものとする。
【００１２】
また本考案によれば、上記合わせ生地２を網状にして、上記各挿通孔２ａを、合わせ生地２の網目によって形成するような構成を採用することもできる。
【００１３】
この場合、市販されている網状の合わせ生地２を使用すれば、本考案の首巻きをより簡単で安価に作製することができる。また、合わせ生地２を網状にすることで、紐３の挿通孔２ａを適宜選択することできて、合わせ生地２に好みの縫い目（模様）を作ることができる。
【００１４】
また本考案によれば、上記紐３を、一直線状に且つ等間隔に位置する偶数個の各挿通孔２ａに、上から下に、下から上に、又は下から上に、上から下に繰り返し挿通するような構成を採用することもできる。
【００１５】
この場合、一定長さの直線状の縫い目が等間隔に形成されると共に、紐３の始端に位置する挿通孔２ａからの引き出し方向と、終端に位置する挿通孔２ａからの引き出し方向とが一致するようになるので、きれいな縫い目が形成されて、より良好な外観が得られるようになる。
【００１６】
また本考案によれば、上記紐３の両端部に梵天４を取り付けるような構成を採用することもできる。
【００１７】
この場合、梵天４が紐３の抜け止めにもなるし、紐３を結んだり、垂らしたりした場合にも梵天４によって全体が装飾されるようになる。
【考案の効果】
【００１８】
以上説明したように、本考案によれば、表生地に、紐が挿通される複数の挿通孔が長さ方向に沿って形成された合わせ生地を重ね合わせると共に、該合わせ生地の側縁部を表生地に止着するようにしたので、合わせ生地の挿通孔から表生地と合わせ生地との間を通って、或いは表生地と合わせ生地との間から合わせ生地の挿通孔を通って、紐を簡単に挿通できるようになる。このため、首巻きを容易に作製できる。また、合わせ生地に縫い目を形成できる一方、紐の両側部を、始端に位置する挿通孔及び終端に位置する挿通孔を通して外部に導出するようにしたので、表生地に紐を通しても違和感なく、良好な外観にデザインできる効果がある。
【考案を実施するための最良の形態】
【００１９】
以下、本考案の一実施形態に係る首巻きにつき、添付図面を参照しつつ説明する。
本実施形態の首巻きの構成は、図１に示すように、ニット製の矩形状（帯状）の表生地１と、該表生地１の表側の幅方向中央に長手方向に沿って重ね合わされた網状の合わせ生地２と、該合わせ生地２を縫うよう、挿通孔２ａとしての網目に挿通された紐３と、該紐３の両端部に取り付けられた梵天（玉房）４とから構成されている。
【００２０】
表生地１は、メリヤス編みされたマフラで、肌触りがよくて防寒性のよい毛糸が使用されている。表生地１と合わせ生地２との間は、紐３が遊挿される空間になっている。そして、例えば表生地１の幅寸法は２０ｃｍ程度、長さ寸法は８０〜９０ｃｍになっている。
【００２１】
合わせ生地２は、表生地１よりも幅寸法が小さく、その両側縁部が表生地１の長手方向に沿って縫着されている。合わせ生地２を網状にする手段としては、複数の糸が鎖編みされたものを方眼編みして使用してもよく、網状に成形されたナイロン製の帯体を使用してもよい。そして、例えば合わせ生地２の幅寸法は、６〜８ｃｍ程度、挿通孔２ａの大きさは６〜８ｍｍ程度になっている。また挿通孔２ａの直径は、紐３を挿通しやすくて抜けにくいようにするには、紐３の直径よりもやや小さめが好ましい。
【００２２】
紐３は、一直線状に且つ等間隔に位置する偶数個の挿通孔２ａ（網目）を選択し、選択した各挿通孔２ａに、下から上、上から下に繰り返し挿通され、表生地１の表面、表生地１と合わせ生地２との間、を交互になるよう紐通しされている。よって、一定長さの直線状の縫い目が所定の間隔をおいて目視できるようになっている。一方、紐３の両側部が始端に位置する挿通孔２ａ及び終端に位置する挿通孔２ａから同一方向に引き出され、きれいに紐通しされている。なお、紐３は、長さが１ｍ程度で、直径が８〜１０ｍｍ程度のものが好ましい。また、ラメの入ったものや蛍光色に染色された紐３を使用してもよい。上記縫い目は、直線状だけではなく、斜めや交差する縫い目であってもよい。
【００２３】
つぎに使用態様について説明する。まず、本考案の首巻きを、合わせ生地２が見えるように首に巻いて使用した場合、紐３は結んでも垂らしてもどちらでもよい（図３（イ）、（ハ）参照）。また、図３（ロ）に示すように、本考案の首巻きを、縮んだ状態にして使用した場合、紐３を結んで、首の周りを縮んだ状態の表生地１で覆うようにするのがよい。首巻きを縮んだ状態にする手順としては、紐３が挿通された状態の表生地１の両側を首から垂らすようにして、一方の手で紐３の両端部を把持すると共に、紐３の両端部が直線状になるようにやや強く引っ張り、他方の手で紐３の両端を覆うようにしながら表生地１の両端部を首の方へ移動させる。これによって、表生地１は縮んでフリル状（略波形状）になる。こうすることで、防寒性とファッション性を兼ね備えた首巻きとなる。
【００２４】
なお、本考案は、上記実施形態に限定されるものではなく、本考案の要旨を逸脱しない範囲で種々の変更が可能である。
【００２５】
例えば、上記実施形態においては、メリヤス編みされた表生地１に、方眼編みされた合わせ生地２を縫着するようにしたが、表生地１及び合わせ生地２は、綿、ナイロン、ポリエステル、麻などの繊維による織物、或いは皮革、毛皮のいずれを使用してもよい。また、同一素材を使用してもよく、これらの素材を組み合わせて使用してもよい。但し、紐通し作業を考慮すると、合わせ生地２は網状のものを使用するものが好ましい。
【００２６】
また、上記実施形態においては、表生地１を矩形状（帯状）としたが、これに限定されるものではなく、例えば図４（イ）に示すように、三角形であってもよく、略矩形状の合わせ生地２を一辺（側端部）に沿って重ね合わせてもよい。さらに、図４（ロ）に示すように、円環状であってもよく、環状の合わせ生地２を表生地１の周縁部に沿って重ね合わせてもよい。
【図面の簡単な説明】
【００２７】
【図１】本考案の一実施形態に係る首巻きを示す平面図である。
【図２】図１の断面図である。
【図３】本考案の首巻きを実装した状態を示し、（イ）は、図１の表生地を首に巻いて紐を結んだ状態の図、（ロ）は、表生地を縮ませて紐を結んだ状態の図、（ハ）は、表生地を首に巻いて紐を垂らした状態の図である。
【図４】（イ）は、三角形の表生地に略矩形状の合わせ生地が重ね合わされた状態を示した図、（ロ）は、円環状の表生地の周縁部に環状の合わせ生地が重ね合わされた状態を示した図である。
【符号の説明】
【００２８】
１…表生地、２…合わせ生地、２ａ…挿通孔（網目）、３…紐、４…梵天
【図１】
0003126283.tif 000003
【図２】
0003126283.tif 000004
【図３】
0003126283.tif 000005
【図４】
0003126283.tif 000006